(57)【要約】  本発明は、保護フィルム構造体および保護フィルム貼付補助構造体に関し、より詳細には、スマートフォン、タブレットＰＣなどのスマートデバイスにホコリが入り込むことなく、正確な位置に容易に保護フィルムを貼り付けるための保護フィルム構造体および保護フィルム貼付補助構造体に関する。【選択図】図１
2018532852.tif 000002
【特許請求の範囲】
【請求項１】
スマートデバイスの画面部分に貼り付けられる保護フィルムと、保護フィルムの下部に接触する第１の補助フィルムと、第１の補助フィルムの下部に接触する第２の補助フィルムとを含む保護フィルム構造体であって、
前記第１の補助フィルムは、第１‐１の補助フィルムと第１‐２の補助フィルムが連結されて重なった状態であり、
前記第２の補助フィルムは、第２‐１の補助フィルムと第２‐２の補助フィルムが連結されて重なった状態であり、
前記保護フィルムは、前記第１‐１の補助フィルムと接触しており、
前記第１‐２の補助フィルムは、前記第２‐１の補助フィルムと接触しており、
前記保護フィルムの前記第１‐１の補助フィルムと接触する面には、保護フィルム接着物質が塗布されており、
前記第１‐２の補助フィルムと前記第２‐１の補助フィルムとの間には、第１の接着物質が塗布されており、
前記第２‐２の補助フィルムの第２‐１の補助フィルムに向かう面の反対側の面には、第２の接着物質が塗布されており、
前記第１‐２の補助フィルムの端部につまみ部が形成されるか、前記第２‐１の補助フィルムの端部につまみ部が形成されるか、前記第１‐２の補助フィルムの端部と前記第２‐１の補助フィルムの端部の両方につまみ部が形成されており、
前記第２‐２の補助フィルムが前記スマートデバイスの画面部分に貼り付けられた状態で、前記つまみ部を引っ張ると、前記第２‐２の補助フィルムが剥離されるとともに、前記保護フィルムが前記画面部分に貼り付けられることを特徴とする、保護フィルム構造体。
【請求項２】
前記第１‐１の補助フィルムの前記保護フィルムと接触する面には、第３の接着物質が塗布されており、
前記第３の接着物質の接着力は、前記保護フィルム接着物質の接着力よりも強いことを特徴とする、請求項１に記載の保護フィルム構造体。
【請求項３】
両側に離型フィルムが貼り付けられていることを特徴とする、請求項１に記載の保護フィルム構造体。
【請求項４】
前記第１‐１の補助フィルムと前記第１‐２の補助フィルムとの間、前記第２‐１の補助フィルムと前記第２‐２の補助フィルムとの間には、潤滑物質が塗布されていることを特徴とする、請求項１に記載の保護フィルム構造体。
【請求項５】
前記第１‐１の補助フィルムの角と前記第２‐２の補助フィルムの角は接合されており、
前記接合されている角は、第１‐１の補助フィルムの角と前記第２‐２の補助フィルムの角のうち前記つまみ部を引っ張る方向と平行に形成された角であることを特徴とする、請求項１に記載の保護フィルム構造体。
【請求項６】
第１の補助フィルムと、第１の補助フィルムの下部に接触する第２の補助フィルムとを含む保護フィルム貼付補助構造体であって、
前記第１の補助フィルムは、第１‐１の補助フィルムと第１‐２の補助フィルムが連結されて重なった状態であり、
前記第２の補助フィルムは、第２‐１の補助フィルムと第２‐２の補助フィルムが連結されて重なった状態であり、
前記第１‐２の補助フィルムは、前記第２‐１の補助フィルムと接触しており、
前記第１‐２の補助フィルムと前記第２‐１の補助フィルムとの間には、第１の接着物質が塗布されており、
前記第２‐２の補助フィルムの第２‐１の補助フィルムに向かう面の反対側の面には、第２の接着物質が塗布されており、
前記第１‐２の補助フィルムの端部につまみ部が形成されるか、前記第２‐１の補助フィルムの端部につまみ部が形成されるか、前記第１‐２の補助フィルムの端部と前記第２‐１の補助フィルムの端部の両方につまみ部が形成されており、
前記第１‐１の補助フィルムが保護フィルムに貼り付けられ、前記第２‐２の補助フィルムがスマートデバイスの画面部分に貼り付けられた状態で、前記つまみ部を引っ張ると、前記第１‐１の補助フィルムと第２‐２の補助フィルムが剥離されるとともに、前記保護フィルムが前記画面部分に貼り付けられることを特徴とする、保護フィルム貼付補助構造体。
【請求項７】
前記第１‐１の補助フィルムの前記保護フィルムと接触する面には、第３の接着物質が塗布されており、
前記第３の接着物質の接着力は、前記保護フィルムに塗布された接着物質の接着力よりも強いことを特徴とする、請求項６に記載の保護フィルム貼付補助構造体。
【請求項８】
両側に離型フィルムが貼り付けられていることを特徴とする、請求項６に記載の保護フィルム貼付補助構造体。
【請求項９】
前記第１‐１の補助フィルムと前記第１‐２の補助フィルムとの間、前記第２‐１の補助フィルムと前記第２‐２の補助フィルムとの間には、潤滑物質が塗布されていることを特徴とする、請求項６に記載の保護フィルム貼付補助構造体。
【請求項１０】
前記第１‐１の補助フィルムの角と前記第２‐２の補助フィルムの角は接合されており、
前記接合されている角は、第１‐１の補助フィルムの角と前記第２‐２の補助フィルムの角のうち前記つまみ部を引っ張る方向と平行に形成された角であることを特徴とする、請求項６に記載の保護フィルム貼付補助構造体。
【請求項１１】
スマートデバイスの画面部分に貼り付けられる保護フィルムと、保護フィルムの下部に接触する補助フィルムとを含む保護フィルム構造体であって、
前記補助フィルムは、上部補助フィルムと下部補助フィルムが連結されて重なった状態であり、
前記保護フィルムは、前記上部補助フィルムと接触しており、
前記保護フィルムの前記上部補助フィルムと接触する面には、保護フィルム接着物質が塗布されており、
前記下部補助フィルムの上部補助フィルムに向かう面の反対側の面には、下部接着物質が塗布されており、
上部補助フィルムと下部補助フィルムが連結される部分には、Ｍ字状のしわが形成されており、Ｍ字状のしわの中心部には、引張り部材の引張り棒が貼り付けられており、
引張り部材は、引張り棒と、引張り連結部とを含み、前記引張り棒には、引張り連結部が連結されており、引張り連結部の反対側の端部には、引張り部材つまみ部が形成されており、
前記下部補助フィルムが前記スマートデバイスの画面部分に貼り付けられた状態で、前記引張り部材つまみ部を引っ張ると、前記Ｍ字状のしわが深くなって前記下部補助フィルムが剥離されるとともに、前記保護フィルムが前記画面部分に貼り付けられることを特徴とする、保護フィルム構造体。
【請求項１２】
前記上部補助フィルムの前記保護フィルムと接触する面には、上部接着物質が塗布されており、
前記上部接着物質の接着力は、前記保護フィルム接着物質の接着力よりも強いことを特徴とする、請求項１１に記載の保護フィルム構造体。
【請求項１３】
両側に離型フィルムが貼り付けられていることを特徴とする、請求項１１に記載の保護フィルム構造体。
【請求項１４】
前記上部補助フィルムと前記下部補助フィルムとの間には、潤滑物質が塗布されてることを特徴とする、請求項１１に記載の保護フィルム構造体。
【請求項１５】
前記上部補助フィルムの角と前記下部補助フィルムの角は接合されており、
前記接合されている角は、前記上部補助フィルムの角と前記下部補助フィルムの角のうち前記引張り部材つまみ部を引っ張る方向と平行に形成された角であることを特徴とする、請求項１１に記載の保護フィルム構造体。
【請求項１６】
前記引張り部材は、Ｔ字状であることを特徴とする、請求項１１に記載の保護フィルム構造体。
【請求項１７】
互いに連結されて重なった上部補助フィルムと下部補助フィルムとを含む保護フィルム貼付補助構造体であって、
前記下部補助フィルムの上部補助フィルムに向かう面の反対側の面には、下部接着物質が塗布されており、
上部補助フィルムと下部補助フィルムが連結される部分には、Ｍ字状のしわが形成されており、Ｍ字状のしわの中心部には、引張り部材の引張り棒が貼り付けられており、
引張り部材は、引張り棒と、引張り連結部とを含み、前記引張り棒には、引張り連結部が連結されており、引張り連結部の反対側の端部には、引張り部材つまみ部が形成されており、
前記上部補助フィルムが保護フィルムに貼り付けられ、前記下部補助フィルムがスマートデバイスの画面部分に貼り付けられた状態で、前記引張り部材つまみ部を引っ張ると、前記Ｍ字状のしわが深くなって前記上部補助フィルムと前記下部補助フィルムが剥離されるとともに、前記保護フィルムが前記画面部分に貼り付けられることを特徴とする、保護フィルム貼付補助構造体。
【請求項１８】
前記上部補助フィルムの前記保護フィルムと接触する面には、上部接着物質が塗布されており、
前記上部接着物質の接着力は、前記保護フィルムに塗布された接着物質の接着力よりも強いことを特徴とする、請求項１７に記載の保護フィルム貼付補助構造体。
【請求項１９】
両側に離型フィルムが貼り付けられていることを特徴とする、請求項１７に記載の保護フィルム貼付補助構造体。
【請求項２０】
前記上部補助フィルムと前記下部補助フィルムとの間には、潤滑物質が塗布されていることを特徴とする、請求項１７に記載の保護フィルム貼付補助構造体。
【請求項２１】
前記上部補助フィルムの角と前記下部補助フィルムの角は接合されており、
前記接合されている角は、前記上部補助フィルムの角と前記下部補助フィルムの角のうち前記引張り部材つまみ部を引っ張る方向と平行に形成された角であることを特徴とする、請求項１７に記載の保護フィルム貼付補助構造体。
【請求項２２】
前記引張り部材は、Ｔ字状であることを特徴とする、請求項１７に記載の保護フィルム貼付補助構造体。
【請求項２３】
スマートデバイスの画面部分に貼り付けられる保護フィルムと、保護フィルムの下部に接触する補助フィルムとを含む保護フィルム構造体であって、
前記補助フィルムは、上部補助フィルムと、下部補助フィルムと、上部補助フィルムと下部補助フィルムとの間に位置する引張り部材とを含み、
前記上部補助フィルムの一端、前記引張り部材の一端、前記下部補助フィルムの一端は、順に重なってから接着されて連結されており、
前記引張り部材の他端には、引張り部材つまみ部が形成されており、その引張り部材つまみ部を引っ張ることができ、
前記保護フィルムは、前記上部補助フィルムと接触しており、
前記保護フィルムの前記上部補助フィルムと接触する面には、保護フィルム接着物質が塗布されており、
前記下部補助フィルムの上部補助フィルムに向かう面の反対側の面には、下部接着物質が塗布されており、
前記下部補助フィルムが前記スマートデバイスの画面部分に貼り付けられた状態で、前記引張り部材つまみ部を引っ張ると、前記上部補助フィルムと前記下部補助フィルムが接着連結される部分が、前記上部補助フィルムと前記下部補助フィルムとの間に巻き込まれて、前記下部補助フィルムが剥離されるとともに、前記保護フィルムが前記画面部分に貼り付けられることを特徴とする、保護フィルム構造体。
【請求項２４】
前記上部補助フィルムの前記保護フィルムと接触する面には、上部接着物質が塗布されており、
前記上部接着物質の接着力は、前記保護フィルム接着物質の接着力よりも強いことを特徴とする、請求項２３に記載の保護フィルム構造体。
【請求項２５】
前記下部補助フィルムに貼り付けられる第１の位置合わせフィルムと第２の位置合わせフィルムとをさらに含み、
前記第１の位置合わせフィルムは、前記下部補助フィルムの端部に所定の面積で貼り付けられ、その貼付部分は、前記上部補助フィルムと前記下部補助フィルムが連結される部分に対応する部分に位置し、
前記第２の位置合わせフィルムは、上部位置合わせフィルムと下部位置合わせフィルムからなり、上部位置合わせフィルムと下部位置合わせフィルムは連結されており、連結された部分が、前記第１の位置合わせフィルムに接する位置になるように、上部位置合わせフィルムが前記下部補助フィルムに貼り付けられ、前記下部位置合わせフィルムには、下部位置合わせフィルムつまみ部が形成され、
前記下部補助フィルムの第１の位置合わせフィルムと接着する面を第１の接着面、前記下部補助フィルムの第２の位置合わせフィルムと接着する面を第２の接着面とした時に、
前記下部補助フィルムの第１の接着面が前記スマートデバイスの画面部分に貼り付けられた状態で、前記下部位置合わせフィルムつまみ部を引っ張ると、前記上部位置合わせフィルムが前記下部補助フィルムから剥離されることを特徴とする、請求項２３に記載の保護フィルム構造体。
【請求項２６】
前記上部補助フィルムの角と前記下部補助フィルムの角のうち前記引張り部材つまみ部を引っ張る方向と平行に形成された前記上部補助フィルムおよび前記下部補助フィルムそれぞれの角の一部が接合されていることを特徴とする、請求項２３に記載の保護フィルム構造体。
【請求項２７】
前記第１の位置合わせフィルムには、第１の位置合わせフィルムつまみ部が形成されていことを特徴とする、請求項２５に記載の保護フィルム構造体。
【請求項２８】
上部補助フィルムと、下部補助フィルムと、上部補助フィルムと下部補助フィルムとの間に位置する引張り部材とを含む保護フィルム貼付補助構造体であって、
前記上部補助フィルムの一端、前記引張り部材の一端、前記下部補助フィルムの一端は、順に重なってから接着されて連結されており、
前記引張り部材の他端には、引張り部材つまみ部が形成されており、その引張り部材つまみ部を引っ張ることができ、
前記下部補助フィルムの上部補助フィルムに向かう面の反対側の面には、下部接着物質が塗布されており、
前記上部補助フィルムが保護フィルムに貼り付けられ、前記下部補助フィルムがスマートデバイスの画面部分に貼り付けられた状態で、前記引張り部材つまみ部を引っ張ると、前記上部補助フィルムと前記下部補助フィルムが接着連結される部分が、前記上部補助フィルムと前記下部補助フィルムとの間に巻き込まれて、前記下部補助フィルムが剥離されるとともに、前記保護フィルムが前記画面部分に貼り付けられることを特徴とする、保護フィルム貼付補助構造体。
【請求項２９】
前記上部補助フィルムの前記保護フィルムと接触する面には、上部接着物質が塗布されており、
前記上部接着物質の接着力は、前記保護フィルムに塗布された接着物質の接着力よりも強いことを特徴とする、請求項２８に記載の保護フィルム貼付補助構造体。
【請求項３０】
前記下部補助フィルムに貼り付けられる第１の位置合わせフィルムと第２の位置合わせフィルムとをさらに含み、
前記第１の位置合わせフィルムは、前記下部補助フィルムの端部に所定の面積で貼り付けられ、その貼付部分は、前記上部補助フィルムと前記下部補助フィルムが連結される部分に対応する部分に位置し、
前記第２の位置合わせフィルムは、上部位置合わせフィルムと下部位置合わせフィルムからなり、上部位置合わせフィルムと下部位置合わせフィルムは連結されており、連結された部分が、前記第１の位置合わせフィルムに接する位置になるように、上部位置合わせフィルムが前記下部補助フィルムに貼り付けられ、前記下部位置合わせフィルムには、下部位置合わせフィルムつまみ部が形成され、
前記下部補助フィルムの第１の位置合わせフィルムと接着する面を第１の接着面、前記下部補助フィルムの第２の位置合わせフィルムと接着する面を第２の接着面とした時に、
前記下部補助フィルムの第１の接着面が前記スマートデバイスの画面部分に貼り付けられた状態で、前記下部位置合わせフィルムつまみ部を引っ張ると、前記上部位置合わせフィルムが前記下部補助フィルムから剥離されることを特徴とする、請求項２８に記載の保護フィルム貼付補助構造体。
【請求項３１】
前記上部補助フィルムの角と前記下部補助フィルムの角のうち前記引張り部材つまみ部を引っ張る方向と平行に形成された前記上部補助フィルムおよび前記下部補助フィルムそれぞれの角の一部が接合されていることを特徴とする、請求項２８に記載の保護フィルム貼付補助構造体。
【請求項３２】
前記上部補助フィルムに離型フィルムが貼り付けられていることを特徴とする、請求項２８に記載の保護フィルム貼付補助構造体。
【請求項３３】
前記離型フィルムに離型フィルムつまみ部が形成されていることを特徴とする、請求項３２に記載の保護フィルム貼付補助構造体。
【請求項３４】
前記第１の位置合わせフィルムには、第１の位置合わせフィルムつまみ部が形成されていることを特徴とする、請求項３０に記載の保護フィルム貼付補助構造体。
【発明の詳細な説明】
【技術分野】
【０００１】
本発明は、保護フィルム構造体および保護フィルム貼付補助構造体に関し、より詳細には、スマートフォン、タブレットＰＣなどのスマートデバイスにホコリが入り込むことなく、正確な位置に容易に保護フィルムを貼り付けるための保護フィルム構造体および保護フィルム貼付補助構造体に関する。
【背景技術】
【０００２】
タッチスクリーン方式のスマートフォンとタブレットＰＣなどの一般化に伴い、スマートフォンとタブレットＰＣなどの画面部分（タッチスクリーン方式のディスプレイ部分）への保護フィルムの使用が一般化している。
【０００３】
保護フィルムは、スクラッチに強く静電気防止に優れた透明材質で形成することが好ましい。例えば、ＰＥＴ（Ｐｏｌｙ  Ｅｔｈｙｌｅｎｅ  Ｔｅｒｅｐｈｔｈｌａｔｅ）、ＴＰＵ（Ｔｅｍｐｅｒａｔｕｒｅ  Ｐｏｌｙｕｒｅｔｈａｎｅ）などを含んでもよい。ＰＥＴを使用する場合、低反射光学用ＰＥＴを使用し、一般のＰＥＴよりも光反射率が低くて画面の視認性の確保がより良好である。その他にもＯＰＰ（Ｏｒｉｅｎｔｅｄ  ＰｏｌｙＰｒｏｙｐｌｅｎｅ）、ポリエステルまたはナイロンなどを含んでもよい。近年、強化ガラスなどが保護フィルムの材料として使用されることもある。
【０００４】
保護フィルムを貼り付けるに際し、最大の問題は、ホコリの入り込みであるが、表面静電気によって接着面または画面部分にホコリが付くことになる。また、正確な位置に保護フィルムを貼り付けることは容易でない。
【０００５】
かかる保護フィルムの貼り付けを容易にするための様々な発明がなされており、特許文献１と、特許文献２がその例である。
【０００６】
しかし、特許文献１と特許文献２の発明でも、ホコリが入り込むことなく、正確な位置に保護フィルムを貼り付けることは難しい。
【先行技術文献】
【特許文献】
【０００７】
【特許文献１】韓国公開特許公報ＫＲ１０‐２０１４‐０１４７５１５Ａ（公開日：２０１４年１２月３０日）
【特許文献２】韓国公開特許公報ＫＲ１０‐２００６‐００２２９５２Ａ（公開日：２００６年０３月１３日）
【発明の概要】
【発明が解決しようとする課題】
【０００８】
本発明は、前記のような問題を解決するために導き出されたものであり、本発明で解決しようとする課題は、スマートフォン、タブレットＰＣなどのスマートデバイスにホコリが入り込むことなく、正確な位置に容易に保護フィルムを貼り付けるようにすることである。
【課題を解決するための手段】
【０００９】
本発明の一実施形態による保護フィルム構造体は、スマートデバイスの画面部分に貼り付けられる保護フィルムと、保護フィルムの下部に接触する第１の補助フィルムと、第１の補助フィルムの下部に接触する第２の補助フィルムとを含む保護フィルム構造体であって、前記第１の補助フィルムは、第１‐１の補助フィルムと第１‐２の補助フィルムが連結されて重なった状態であり、前記第２の補助フィルムは、第２‐１の補助フィルムと第２‐２の補助フィルムが連結されて重なった状態であり、前記保護フィルムは、前記第１‐１の補助フィルムと接触しており、前記第１‐２の補助フィルムは、前記第２‐１の補助フィルムと接触しており、前記保護フィルムの前記第１‐１の補助フィルムと接触する面には、保護フィルム接着物質が塗布されており、前記第１‐２の補助フィルムと前記第２‐１の補助フィルムとの間には、第１の接着物質が塗布されており、前記第２‐２の補助フィルムの第２‐１の補助フィルムに向かう面の反対側の面には、第２の接着物質が塗布されており、前記第１‐２の補助フィルムの端部につまみ部が形成されるか、前記第２‐１の補助フィルムの端部につまみ部が形成されるか、前記第１‐２の補助フィルムの端部と前記第２‐１の補助フィルムの端部の両方につまみ部が形成されており、前記第２‐２の補助フィルムが前記スマートデバイスの画面部分に貼り付けられた状態で、前記つまみ部を引っ張ると、前記第２‐２の補助フィルムが剥離されるとともに、前記保護フィルムが前記画面部分に貼り付けられることを特徴とする。
【００１０】
前記第１‐１の補助フィルムの前記保護フィルムと接触する面には、第３の接着物質が塗布されており、前記第３の接着物質の接着力は、前記保護フィルム接着物質の接着力よりも強くてもよい。
【００１１】
前記保護フィルム構造体の両側に離型フィルムが貼り付けられていてもよい。
【００１２】
前記第１‐１の補助フィルムと前記第１‐２の補助フィルムとの間、前記第２‐１の補助フィルムと前記第２‐２の補助フィルムとの間には、潤滑物質が塗布されていてもよい。
【００１３】
前記第１‐１の補助フィルムの角と前記第２‐２の補助フィルムの角は接合されており、前記接合されている角は、第１‐１の補助フィルムの角と前記第２‐２の補助フィルムの角のうち前記つまみ部を引っ張る方向と平行に形成された角であってもよい。
【００１４】
本発明の他の実施形態による保護フィルム貼付補助構造体は、第１の補助フィルムと、第１の補助フィルムの下部に接触する第２の補助フィルムとを含む保護フィルム貼付補助構造体であって、前記第１の補助フィルムは、第１‐１の補助フィルムと第１‐２の補助フィルムが連結されて重なった状態であり、前記第２の補助フィルムは、第２‐１の補助フィルムと第２‐２の補助フィルムが連結されて重なった状態であり、前記第１‐２の補助フィルムは、前記第２‐１の補助フィルムと接触しており、前記第１‐２の補助フィルムと前記第２‐１の補助フィルムとの間には、第１の接着物質が塗布されており、前記第２‐２の補助フィルムの第２‐１の補助フィルムに向かう面の反対側の面には、第２の接着物質が塗布されており、前記第１‐２の補助フィルムの端部につまみ部が形成されるか、前記第２‐１の補助フィルムの端部につまみ部が形成されるか、前記第１‐２の補助フィルムの端部と前記第２‐１の補助フィルムの端部の両方につまみ部が形成されており、前記第１‐１の補助フィルムが保護フィルムに貼り付けられ、前記第２‐２の補助フィルムがスマートデバイスの画面部分に貼り付けられた状態で、前記つまみ部を引っ張ると、前記第１‐１の補助フィルムと第２‐２の補助フィルムが剥離されるとともに、前記保護フィルムが前記画面部分に貼り付けられることを特徴とする。
【００１５】
前記第１‐１の補助フィルムの前記保護フィルムと接触する面には、第３の接着物質が塗布されており、前記第３の接着物質の接着力は、前記保護フィルムに塗布された接着物質の接着力よりも強くてもよい。
【００１６】
前記保護フィルム貼付補助構造体の両側に離型フィルムが貼り付けられていてもよい。
【００１７】
前記第１‐１の補助フィルムと前記第１‐２の補助フィルムとの間、前記第２‐１の補助フィルムと前記第２‐２の補助フィルムとの間には、潤滑物質が塗布されていてもよい。
【００１８】
前記第１‐１の補助フィルムの角と前記第２‐２の補助フィルムの角は接合されており、前記接合されている角は、第１‐１の補助フィルムの角と前記第２‐２の補助フィルムの角のうち前記つまみ部を引っ張る方向と平行に形成された角であってもよい。
【００１９】
本発明の他の実施形態による保護フィルム構造体は、スマートデバイスの画面部分に貼り付けられる保護フィルムと、保護フィルムの下部に接触する補助フィルムとを含む保護フィルム構造体であって、前記補助フィルムは、上部補助フィルムと下部補助フィルムが連結されて重なった状態であり、前記保護フィルムは、前記上部補助フィルムと接触しており、前記保護フィルムの前記上部補助フィルムと接触する面には、保護フィルム接着物質が塗布されており、前記下部補助フィルムの上部補助フィルムに向かう面の反対側の面には、下部接着物質が塗布されており、上部補助フィルムと下部補助フィルムが連結される部分には、Ｍ字状のしわが形成されており、Ｍ字状のしわの中心部には、引張り部材の引張り棒が貼り付けられており、引張り部材は、引張り棒と、引張り連結部とを含み、前記引張り棒には、引張り連結部が連結されており、引張り連結部の反対側の端部には、引張り部材つまみ部が形成されており、前記下部補助フィルムが前記スマートデバイスの画面部分に貼り付けられた状態で、前記引張り部材つまみ部を引っ張ると、前記Ｍ字状のしわが深くなって前記下部補助フィルムが剥離されるとともに、前記保護フィルムが前記画面部分に貼り付けられることを特徴とする。
【００２０】
前記上部補助フィルムの前記保護フィルムと接触する面には、上部接着物質が塗布されており、前記上部接着物質の接着力は、前記保護フィルム接着物質の接着力よりも強くてもよい。
【００２１】
前記保護フィルム構造体の両側に離型フィルムが貼り付けられていてもよい。
【００２２】
前記上部補助フィルムと前記下部補助フィルムとの間には、潤滑物質が塗布されていてもよい。
【００２３】
前記上部補助フィルムの角と前記下部補助フィルムの角は接合されており、前記接合されている角は、前記上部補助フィルムの角と前記下部補助フィルムの角のうち前記引張り部材つまみ部を引っ張る方向と平行に形成された角であってもよい。
【００２４】
前記引張り部材は、Ｔ字状であってもよい。
【００２５】
本発明の他の実施形態による保護フィルム貼付補助構造体は、互いに連結されて重なった上部補助フィルムと下部補助フィルムとを含む保護フィルム貼付補助構造体であって、前記下部補助フィルムの上部補助フィルムに向かう面の反対側の面には、下部接着物質が塗布されており、上部補助フィルムと下部補助フィルムが連結される部分には、Ｍ字状のしわが形成されており、Ｍ字状のしわの中心部には、引張り部材の引張り棒が貼り付けられており、引張り部材は、引張り棒と、引張り連結部とを含み、前記引張り棒には、引張り連結部が連結されており、引張り連結部の反対側の端部には、引張り部材つまみ部が形成されており、前記上部補助フィルムが保護フィルムに貼り付けられ、前記下部補助フィルムがスマートデバイスの画面部分に貼り付けられた状態で、前記引張り部材つまみ部を引っ張ると、前記Ｍ字状のしわが深くなって前記上部補助フィルムと前記下部補助フィルムが剥離されるとともに、前記保護フィルムが前記画面部分に貼り付けられることを特徴とする。
【００２６】
前記上部補助フィルムの前記保護フィルムと接触する面には、上部接着物質が塗布されており、前記上部接着物質の接着力は、前記保護フィルムに塗布された接着物質の接着力よりも強くてもよい。
【００２７】
前記保護フィルム貼付補助構造体の両側に離型フィルムが貼り付けられていてもよい。
【００２８】
前記上部補助フィルムと前記下部補助フィルムとの間には、潤滑物質が塗布されていてもよい。
【００２９】
前記上部補助フィルムの角と前記下部補助フィルムの角は接合されており、前記接合されている角は、前記上部補助フィルムの角と前記下部補助フィルムの角のうち前記引張り部材つまみ部を引っ張る方向と平行に形成された角であってもよい。
【００３０】
前記引張り部材は、Ｔ字状であってもよい。
【００３１】
本発明の他の実施形態による保護フィルム構造体は、スマートデバイスの画面部分に貼り付けられる保護フィルムと、保護フィルムの下部に接触する補助フィルムとを含む保護フィルム構造体であって、前記補助フィルムは、上部補助フィルムと、下部補助フィルムと、上部補助フィルムと下部補助フィルムとの間に位置する引張り部材とを含み、前記上部補助フィルムの一端、前記引張り部材の一端、前記下部補助フィルムの一端は、順に重なってから接着されて連結されており、前記引張り部材の他端には、引張り部材つまみ部が形成されており、その引張り部材つまみ部を引っ張ることができ、前記保護フィルムは、前記上部補助フィルムと接触しており、前記保護フィルムの前記上部補助フィルムと接触する面には、保護フィルム接着物質が塗布されており、前記下部補助フィルムの上部補助フィルムに向かう面の反対側の面には、下部接着物質が塗布されており、前記下部補助フィルムが前記スマートデバイスの画面部分に貼り付けられた状態で、前記引張り部材つまみ部を引っ張ると、前記上部補助フィルムと前記下部補助フィルムが接着連結される部分が、前記上部補助フィルムと前記下部補助フィルムとの間に巻き込まれて、前記下部補助フィルムが剥離されるとともに、前記保護フィルムが前記画面部分に貼り付けられることを特徴とする。
【００３２】
前記上部補助フィルムの前記保護フィルムと接触する面には、上部接着物質が塗布されており、前記上部接着物質の接着力は、前記保護フィルム接着物質の接着力よりも強くてもよい。
【００３３】
前記保護フィルム構造体は、前記下部補助フィルムに貼り付けられる第１の位置合わせフィルムと第２の位置合わせフィルムとをさらに含み、前記第１の位置合わせフィルムは、前記下部補助フィルムの端部に所定の面積で貼り付けられ、その貼付部分は、前記上部補助フィルムと前記下部補助フィルムが連結される部分に対応する部分に位置し、前記第２の位置合わせフィルムは、上部位置合わせフィルムと下部位置合わせフィルムからなり、上部位置合わせフィルムと下部位置合わせフィルムは連結されており、連結された部分が、前記第１の位置合わせフィルムに接する位置になるように、上部位置合わせフィルムが前記下部補助フィルムに貼り付けられ、前記下部位置合わせフィルムには、下部位置合わせフィルムつまみ部が形成され、前記下部補助フィルムの第１の位置合わせフィルムと接着する面を第１の接着面、前記下部補助フィルムの第２の位置合わせフィルムと接着する面を第２の接着面とした時に、前記下部補助フィルムの第１の接着面が前記スマートデバイスの画面部分に貼り付けられた状態で、前記下部位置合わせフィルムつまみ部を引っ張ると、前記上部位置合わせフィルムが前記下部補助フィルムから剥離されることを特徴とする。
【００３４】
前記上部補助フィルムの角と前記下部補助フィルムの角のうち前記引張り部材つまみ部を引っ張る方向と平行に形成された前記上部補助フィルムおよび前記下部補助フィルムそれぞれの角の一部が接合されていてもよい。
【００３５】
前記第１の位置合わせフィルムには、第１の位置合わせフィルムつまみ部が形成されていてもよい。
【００３６】
本発明の他の実施形態による保護フィルム貼付補助構造体は、上部補助フィルムと、下部補助フィルムと、上部補助フィルムと下部補助フィルムとの間に位置する引張り部材とを含む保護フィルム貼付補助構造体であって、前記上部補助フィルムの一端、前記引張り部材の一端、前記下部補助フィルムの一端は、順に重なってから接着されて連結されており、前記引張り部材の他端には、引張り部材つまみ部が形成されており、その引張り部材つまみ部を引っ張ることができ、前記下部補助フィルムの上部補助フィルムに向かう面の反対側の面には、下部接着物質が塗布されており、前記上部補助フィルムが保護フィルムに貼り付けられ、前記下部補助フィルムがスマートデバイスの画面部分に貼り付けられた状態で、前記引張り部材つまみ部を引っ張ると、前記上部補助フィルムと前記下部補助フィルムが接着連結される部分が、前記上部補助フィルムと前記下部補助フィルムとの間に巻き込まれて、前記下部補助フィルムが剥離されるとともに、前記保護フィルムが前記画面部分に貼り付けられることを特徴とする。
【００３７】
前記保護フィルム貼付補助構造体において、前記上部補助フィルムの前記保護フィルムと接触する面には、上部接着物質が塗布されており、前記上部接着物質の接着力は、前記保護フィルムに塗布された接着物質の接着力よりも強くてもよい。
【００３８】
前記保護フィルム貼付補助構造体は、前記下部補助フィルムに貼り付けられる第１の位置合わせフィルムと第２の位置合わせフィルムとをさらに含み、前記第１の位置合わせフィルムは、前記下部補助フィルムの端部に所定の面積で貼り付けられ、その貼付部分は、前記上部補助フィルムと前記下部補助フィルムが連結される部分に対応する部分に位置し、前記第２の位置合わせフィルムは、上部位置合わせフィルムと下部位置合わせフィルムからなり、上部位置合わせフィルムと下部位置合わせフィルムは連結されており、連結された部分が、前記第１の位置合わせフィルムに接する位置になるように、上部位置合わせフィルムが前記下部補助フィルムに貼り付けられ、前記下部位置合わせフィルムには、下部位置合わせフィルムつまみ部が形成され、前記下部補助フィルムの第１の位置合わせフィルムと接着する面を第１の接着面、前記下部補助フィルムの第２の位置合わせフィルムと接着する面を第２の接着面とした時に、前記下部補助フィルムの第１の接着面が前記スマートデバイスの画面部分に貼り付けられた状態で、前記下部位置合わせフィルムつまみ部を引っ張ると、前記上部位置合わせフィルムが前記下部補助フィルムから剥離されていてもよい。
【００３９】
前記保護フィルム貼付補助構造体において、前記上部補助フィルムの角と前記下部補助フィルムの角のうち前記引張り部材つまみ部を引っ張る方向と平行に形成された前記上部補助フィルムおよび前記下部補助フィルムそれぞれの角の一部が接合されていてもよい。
【００４０】
前記保護フィルム貼付補助構造体において、前記上部補助フィルムに離型フィルムが貼り付けられていてもよい。
【００４１】
前記離型フィルムに離型フィルムつまみ部が形成されていてもよい。
【００４２】
前記第１の位置合わせフィルムには、第１の位置合わせフィルムつまみ部が形成されていてもよい。
【発明の効果】
【００４３】
本発明は、スマートフォン、タブレットＰＣなどのスマートデバイスにホコリが入り込むことなく、正確な位置に容易に保護フィルムを貼り付けることを可能にする。
【図面の簡単な説明】
【００４４】
【図１】実施形態１による保護フィルム構造体の垂直断面図である。
【図２】実施形態１による保護フィルム構造体の平面図である。
【図３】実施形態１の参考図１である。
【図４】実施形態１の参考図２である。
【図５】実施形態１の参考図３である。
【図６】実施形態１の参考図４である。
【図７】実施形態２による保護フィルム貼付補助構造体の垂直断面図である。
【図８】実施形態２による保護フィルム貼付補助構造体の平面図である。
【図９】実施形態３による保護フィルム構造体の垂直断面図である。
【図１０】実施形態３による保護フィルム構造体の平面図である。
【図１１】実施形態３による保護フィルム構造体の平面透視図である。
【図１２】実施形態４による保護フィルム貼付補助構造体の垂直断面図である。
【図１３】実施形態４による保護フィルム貼付補助構造体の平面図である。
【図１４】実施形態５の引張り部材の平面図である。
【図１５】実施形態５の上部補助フィルム、引張り部材、下部補助フィルムの結合体の断面図である。
【図１６】実施形態５の上部補助フィルム、引張り部材、下部補助フィルムの結合体の平面図である。
【図１７】実施形態５による保護フィルム構造体の垂直断面図である。
【図１８】実施形態６による保護フィルム貼付補助構造体の垂直断面図である。
【図１９】実施形態６による保護フィルム貼付補助構造体に離型フィルムつまみ部が形成された様子を示す断面図である。
【図２０】第１の位置合わせフィルムつまみ部が形成された様子を示す断面図である。
【発明を実施するための形態】
【００４５】
本発明は、様々な変更を行ってもよく、様々な実施形態を有してもよいところ、特定の実施形態を図面に例示し、詳細な説明に詳細に説明する。しかし、これは、本発明を特定の実施形態について限定するものではなく、本発明の思想および技術範囲に含まれるすべての変換、均等物乃至代替物を含むことに理解すべきである。本発明を説明するに際し、関連の公知技術に関する具体的な説明が本発明の要旨を不明瞭にし得ると判断した場合には、その詳細な説明を省略する。
【００４６】
本出願で使用した用語は、単に特定の実施形態を説明するために使用されたものであって、本発明を限定する意図ではない。単数の表現は、文脈上明白に異なる意味を有していない限り、複数の表現をも含む。
【００４７】
本出願において、保護フィルムは、スマートフォン、スマートパッドなどの液晶画面を保護するために貼り付けられるものを意味しており、その材質は、ＰＥＴ（Ｐｏｌｙ  Ｅｔｈｙｌｅｎｅ  Ｔｅｒｅｐｈｔｈｌａｔｅ）、ＴＰＵ（Ｔｅｍｐｅｒａｔｕｒｅ  Ｐｏｌｙｕｒｅｔｈａｎｅ）などに限定されず、強化ガラスなどであってもよい。
【００４８】
以下、本発明について、添付の図面により、さらに詳細に説明する。
【００４９】
（実施形態１）
図１は実施形態１による保護フィルム構造体の垂直断面図であり、図２は実施形態１による保護フィルム構造体の平面図である。
【００５０】
実施形態１による保護フィルム構造体は、第１の離型フィルム４０と、保護フィルム１０と、保護フィルムの下部に接触する第１の補助フィルム２０と、第１の補助フィルムの下部に接触する第２の補助フィルム３０と、第２の離型フィルム５０とを含む。
【００５１】
前記第１の補助フィルム２０は、第１‐１の補助フィルム２１と第１‐２の補助フィルム２２が連結されて重なった状態であり、前記第２の補助フィルム３０は、第２‐１の補助フィルム３１と第２‐２の補助フィルム３２が連結されて重なった状態である。
【００５２】
図１において、第１の離型フィルム４０、保護フィルム１０、第１‐１の補助フィルム２１、第１‐２の補助フィルム２２、第２‐１の補助フィルム３１、第２‐２の補助フィルム３２、第２の離型フィルム５０の順に、互いに接触して積層されている。
【００５３】
第１の離型フィルム４０の下部には、第４の接着物質４５が塗布されており、保護フィルム１０の下部には、保護フィルム接着物質１５が塗布されており、第１‐１の補助フィルム２１の上部には、第３の接着物質２５が塗布されている。
【００５４】
第１‐２の補助フィルム２２と第２‐１の補助フィルム３１との間には、第１の接着物質６０が塗布されており、第２‐２の補助フィルム３２の下部には、第２の接着物質３５が塗布されている。
【００５５】
第１‐１の補助フィルム２１と第１‐２の補助フィルム２２との間には、第１の潤滑物質２７が塗布されており、第２‐１の補助フィルム３１と第２‐２の補助フィルム３２との間には、第２の潤滑物質３７が塗布されている。第１の潤滑物質２７は、第１‐１の補助フィルム２１と第１‐２の補助フィルム２２との摩擦を低減することで、第１‐１の補助フィルム２１と第１‐２の補助フィルム２２が滑りやすくするためのものである。第２の潤滑物質３７は、第２‐１の補助フィルム３１と第２‐２の補助フィルム３２との摩擦を低減することで、第２‐１の補助フィルム３１と第２‐２の補助フィルム３２が滑りやすくするためのものである。
【００５６】
第１‐２の補助フィルム２２の端部には、第１‐２の補助フィルムつまみ部２２ａが形成され、第２‐１の補助フィルム３１の端部には、第２‐１の補助フィルムつまみ部３１ａが形成される。
【００５７】
第１‐２の補助フィルムつまみ部２２ａと第２‐１の補助フィルムつまみ部３１ａのいずれかは省略されてもよい。
【００５８】
第１‐２の補助フィルムつまみ部２２ａと第２‐１の補助フィルムつまみ部３１ａは、図２のＡ方向に引っ張る時にユーザの手で把持するための部分である。
【００５９】
第１‐１の補助フィルム２１の角と前記第２‐２の補助フィルム３２の角は接合されていることが好ましい。第１‐１の補助フィルム２１の角と前記第２‐２の補助フィルム３２の角が接合されていると、以下の２つの利点がある。第一に、第１‐１の補助フィルム２１と第２‐２の補助フィルム３２の相対的な位置が固定され、第二に、前記つまみ部｛第１‐２の補助フィルムつまみ部２２ａまたは第２‐１の補助フィルムつまみ部３１ａ｝をＡ方向に引っ張る時に、第１‐２の補助フィルム２２と第２‐１の補助フィルム３１が前記角接合部分の外に出ることができず、所定の方向に引っ張ることができる。
【００６０】
第１‐１の補助フィルム２１の角と前記第２‐２の補助フィルム３２の角は、接着剤を使用して接合されてもよく、または第１‐１の補助フィルム２１の角と前記第２‐２の補助フィルム３２の角に熱を加えて第１‐１の補助フィルム２１の角と前記第２‐２の補助フィルム３２の角を溶融することで接合されてもよい。その他の様々な方法により、第１‐１の補助フィルム２１の角と前記第２‐２の補助フィルム３２の角を接着してもよい。
【００６１】
第１‐１の補助フィルム２１の角と前記第２‐２の補助フィルム３２の角は、接合するとしても、前記つまみ部｛第１‐２の補助フィルムつまみ部２２ａまたは第２‐１の補助フィルムつまみ部３１ａ｝をＡ方向に引っ張ることを妨げないように、第１‐１の補助フィルム２１と前記第２‐２の補助フィルム３２それぞれの４個の角のうちつまみ部を引っ張る方向と平行に形成された第１‐１の補助フィルム２１と前記第２‐２の補助フィルム３２それぞれの２個の角のみを互いに接合することが好ましい。図２のＢ部分の角のみを接合すると、前記つまみ部｛第１‐２の補助フィルムつまみ部２２ａまたは第２‐１の補助フィルムつまみ部３１ａ｝をＡ方向に引っ張ることを妨げない。
【００６２】
また、前記接合が弱くされており、前記つまみ部｛補助フィルムつまみ部２２ａまたは第２‐１の補助フィルムつまみ部３１ａ｝をＡ方向に引っ張り続けると、前記接合｛第１‐１の補助フィルム２１の角と前記第２‐２の補助フィルム３２の角との接合｝が解除される。
【００６３】
また、つまみ部を引っ張る方向と平行に形成された２個の角全体を接合するのではなく、角のうち巻き込まれ始める部分（つまみ部を引っ張る時に巻き込まれ始める部分、図２において左右２個の角のうち上の部分）は接合されていないことが好ましい。これは、つまみ部を引っ張ることで角の部分が巻き込まれ始める時に、角の部分が巻き込まれることを妨げないようにするためである。すなわち、つまみ部を引っ張る方向と平行に形成された２個の角のうちつまみ部の反対側に位置する部分は、所定の長さだけ接合をしないことが好ましい。
【００６４】
図３は実施形態１の参考図１であり、図４は実施形態１の参考図２であり、図５は実施形態１の参考図３であり、以下、図３〜図５を用いて実施形態１の保護フィルム構造体の使用方法について説明する。
【００６５】
実施形態１の保護フィルム構造体を使用するためには、先ず、第２の離型フィルム５０を除去した後、他の部分をスマートデバイス９０（例えば、スマートフォン）の画面部分９１に貼り付ける。
【００６６】
図３は第２の離型フィルム５０を除去した後、他の部分をスマートデバイス９０の画面部分９１に貼り付けた様子を示している。
【００６７】
図３の状態で、保護フィルム構造体を上方から弱く押圧しながら、つまみ部｛第１‐２の補助フィルムつまみ部２２ａ、第２‐１の補助フィルムつまみ部３１ａ｝をＡ方向に引っ張ると、図３の状態が図４のような状態に変化する。
【００６８】
図４において、保護フィルム１０を画面部分９１に密着させた後、保護フィルム構造体を上方から弱く押圧しながら、つまみ部｛第１‐２の補助フィルムつまみ部２２ａ、第２‐１の補助フィルムつまみ部３１ａ｝をＡ方向に引っ張り続けると、第１の補助フィルム２０と第２の補助フィルム３０が完全に除去され、図４の状態が図５のような状態に変化する。
【００６９】
図３と図４の状態でつまみ部｛第１‐２の補助フィルムつまみ部２２ａ、第２‐１の補助フィルムつまみ部３１ａ｝をＡ方向に引っ張る時に、保護フィルム構造体を画面部分９１に向かう方向に軽く押圧しながら引っ張ることが好ましい。
【００７０】
図４の状態で、保護フィルム１０の端部を画面部分９１の端部と一致するように画面部分９１の端部と接触させた後、気泡を除去しながら保護フィルム１０を画面部分９１と密着させることが好ましい。
【００７１】
図５において、第１の離型フィルム４０を除去すると、保護フィルム１０が画面部分９１にきれいに貼り付けられた状態になる。
【００７２】
すなわち、前記第２‐２の補助フィルム３２が前記スマートデバイス９０の画面部分９１に貼り付けられた状態で、前記つまみ部２２ａ、３１ａを引っ張ると、前記第２‐２の補助フィルム３２が画面部分９１から剥離されるとともに、前記保護フィルム１０が前記画面部分９１に貼り付けられる。
【００７３】
実施形態１のように、保護フィルム構造体が、保護フィルム接着物質１５と第３の接着物質２５をいずれも含む場合、第３の接着物質２５の接着力が保護フィルム接着物質１５の接着力よりも強いことが好ましい。保護フィルム接着物質１５と第３の接着物質２５との間にホコリが入り込んだ場合、ホコリが第３の接着物質２５に強く接着されて、第１の補助フィルム２０を除去する時ともに除去され得るためである。
【００７４】
実施形態１によると、前記保護フィルム１０が前記画面部分９１に貼り付けられる過程で外部のホコリが入り込まず、若干のホコリが入り込んでも、第１の補助フィルム２０と第２の補助フィルム３０に塗布された接着物質｛第１の接着物質６０、第２の接着物質３５、第３の接着物質２５｝に接着されて除去され得る。
【００７５】
したがって、ホコリが入り込むことなく、正確な位置に容易に保護フィルム１０を画面部分９１に貼り付けることができる。
【００７６】
第１の離型フィルム４０と第２の離型フィルム５０は、実施形態１の保護フィルム構造体の両側に貼り付けられる離型フィルム（ｒｅｌｅａｓｅ  ｆｉｌｍ）である。
【００７７】
実施形態１において、前記つまみ部２２ａ、３１ａを引っ張る時に、保護フィルム構造体を押圧しながら引っ張ることになるが、その押圧力がつまみ部２２ａ、３１ａを引っ張ることを妨げないようにするために、第１‐２の補助フィルム２２と第２‐１の補助フィルム３１は、第１‐１の補助フィルム２１と第２‐２の補助フィルム３２よりも狭くしてもよい。
【００７８】
図６は実施形態１の参考図４である。
【００７９】
図６において、第１‐１の補助フィルム２１と第２‐２の補助フィルム３２は、四角形の形状を有するが、第１‐２の補助フィルム２２と第２‐１の補助フィルム３１は、点線のように、第１‐１の補助フィルム２１と第２‐２の補助フィルム３２よりも狭い幅にすると、指でＣ部分を強く押圧しても、つまみ部２２ａ、３１ａをＡ方向に引っ張ることを妨げない。
【００８０】
（実施形態２）
実施形態２は、実施形態１から保護フィルムが除去されているものであり、保護フィルム貼付補助構造体と称することができる。
【００８１】
すなわち、保護フィルム貼付補助構造体は、ユーザが、市販の保護フィルムをスマートデバイス（例えば、スマートフォン）の画面部分に容易に貼り付けることを助ける。
【００８２】
図７は実施形態２による保護フィルム貼付補助構造体の垂直断面図であり、図８は実施形態２による保護フィルム貼付補助構造体の平面図である。
【００８３】
実施形態２の図７は実施形態１の図１から保護フィルム１０、第４の接着物質４５、保護フィルム接着物質１５が省略された様子を示している。
【００８４】
実施形態２の保護フィルム貼付補助構造体を使用する方法は、以下のとおりである。
【００８５】
先ず、第２の離型フィルム５０を除去した後、他の部分をスマートデバイス（例えば、スマートフォン）の画面部分に貼り付ける。次に、第１の離型フィルム４０を除去した後、市販の保護フィルムを第１の補助フィルムの上に貼り付ける。
【００８６】
次に、保護フィルム貼付補助構造体を上方から弱く押圧しながら、つまみ部２２ａ、３１ａを引っ張ると、第１‐１の補助フィルム２１が保護フィルムから剥離され、第２‐２の補助フィルム３２が画面部分９１から剥離されるとともに、前記保護フィルムが前記画面部分９１に貼り付けられる。
【００８７】
市販の保護フィルムも離型フィルムが貼り付けられているが、その保護フィルムの上部に貼り付けられている離型フィルムは、前記保護フィルムが前記画面部分９１に貼り付けられた後、除去することが好ましい。
【００８８】
市販の保護フィルムを第１の補助フィルムの上に貼り付ける時に、その間｛保護フィルムと第１‐１の補助フィルム２１との間｝にホコリが入り込み得る。このホコリを除去するために、第１‐１の補助フィルムの前記保護フィルムと接触する面に塗布された第３の接着物質２５の接着力は、前記保護フィルムに塗布された接着物質の接着力よりも強いことが好ましい。第３の接着物質２５の接着力が前記保護フィルムに塗布された接着物質の接着力よりも強いと、前記ホコリが第３の接着物質２５に接着されて、第１の補助フィルム２０を除去する時にともに除去され得るためである。
【００８９】
実施形態２によると、保護フィルムが前記画面部分９１に貼り付けられる過程で外部のホコリが入り込まず、若干のホコリが入り込んでも、第１の補助フィルム２０と第２の補助フィルム３０に塗布された接着物質｛第１の接着物質６０、第２の接着物質３５、第３の接着物質２５｝に接着されて除去され得る。
【００９０】
したがって、ホコリが入り込むことなく、正確な位置に容易に保護フィルムを画面部分９１に貼り付けることができる。
【００９１】
実施形態２でも前記つまみ部２２ａ、３１ａを引っ張る時に、保護フィルム構造体を押圧しながら引っ張ることになるが、その押圧力がつまみ部２２ａ、３１ａを引っ張ることを妨げないようにするために、第１‐２の補助フィルム２２と第２‐１の補助フィルム３１は、第１‐１の補助フィルム２１と第２‐２の補助フィルム３２よりも狭くしてもよい。
【００９２】
（実施形態３）
図９は実施形態３による保護フィルム構造体の垂直断面図であり、図１０は実施形態３による保護フィルム構造体の平面図であり、図１１の実施形態３による保護フィルム構造体の平面透視図である。
【００９３】
実施形態３による保護フィルム構造体は、上部離型フィルム１４０と、保護フィルム１１０と、保護フィルムの下部に接触する補助フィルム１３０と、第２の離型フィルム１５０とを含む。
【００９４】
前記補助フィルム１３０は、上部補助フィルム１３１と下部補助フィルム１３２が重なって連結されており、上部補助フィルム１３１と下部補助フィルム１３２の連結部にはＭ字状のしわが形成されている。
【００９５】
Ｍ字状のしわの中心部には、引張り棒が貼り付けられている。
【００９６】
引張り部材１７０は、引張り棒１７１と引張り連結部１７２とを含み、前記引張り棒１７１には引張り連結部１７２が連結されており、引張り連結部１７２の反対側の端部には引張り部材つまみ部１７２ａが形成されている。
【００９７】
したがって、引張り部材つまみ部１７２ａを引っ張ると、Ｍ字状のしわの中心部が引っ張られてＭ字状のしわが深くなる。
【００９８】
図９のように、引張り部材つまみ部１７２ａと引張り棒１７１との間に補助フィルム１３０が位置する場合には、補助フィルム１３０には補助フィルムホール（ｈｏｌｅ、孔）１３０ａを形成することで、引張り連結部１７２が通過するようにする必要がある。
【００９９】
仮に、引張り棒１７１を補助フィルム１３０の２つの面のうち引張り部材つまみ部１７２ａと対向する面に貼り付けると、補助フィルムホール（ｈｏｌｅ、孔）１３０ａを形成する必要がなくなる。
【０１００】
前記引張り棒１７１と引張り連結部１７２は、所定の強度を有するプラスチック、金属、紙などの様々な素材で作製することができる。
【０１０１】
図９と図１１の引張り部材は、引張り連結部１７２が引張り棒１７１の中心部に垂直に連結されてＴ字状を有する。
【０１０２】
しかし、Ｔ字状を有していない引張り部材も可能である。例えば、引張り棒１７１の両端にそれぞれ引張り連結部を形成してもよい。
【０１０３】
図９において、上部離型フィルム１４０、上部補助フィルム１３１、引張り部材１７０、下部補助フィルム１３２、第２の離型フィルム１５０の順に、互いに接触して積層されている。
【０１０４】
上部離型フィルム１４０の下部には、上部離型フィルム接着物質１４５が塗布されており、保護フィルム１１０の下部には、保護フィルム接着物質１１５が塗布されている。
【０１０５】
上部補助フィルム１３１の上部には、上部接着物質１２５が塗布されており、下部補助フィルム１３２の下部には、下部接着物質１３５が塗布されている。
【０１０６】
上部補助フィルム１３１の角と下部補助フィルム１３２の角は、接合されていることが好ましい。上部補助フィルム１３１の角と下部補助フィルム１３２の角が接合されていると、上部補助フィルム１３１と下部補助フィルム１３２の相対的な位置が固定される利点がある。
【０１０７】
上部補助フィルム１３１の角と下部補助フィルム１３２の角は接着剤を使用して接合されてもよく、上部補助フィルム１３１の角と下部補助フィルム１３２の角に熱を加えて上部補助フィルム１３１の角と下部補助フィルム１３２の角を溶融することで接合されてもよい。その他の様々な方法により、上部補助フィルム１３１の角と下部補助フィルム１３２の角を接着してもよい。
【０１０８】
上部補助フィルム１３１の角と下部補助フィルム１３２の角は、接合するとしても、引張り部材つまみ部１７２ａをＡ方向に引っ張ることを妨げないように、上部補助フィルム１３１と下部補助フィルム１３２それぞれの４個の角のうち引張り部材つまみ部１７２ａを引っ張る方向と平行に形成された上部補助フィルム１３１と下部補助フィルム１３２それぞれの２個の角のみを接合することが好ましい。
【０１０９】
また、前記接合が弱くされており、引張り部材つまみ部１７２ａをＡ方向に引っ張り続けると、前記接合｛上部補助フィルム１３１の角と下部補助フィルム１３２の角の間の接合｝が解除される。
【０１１０】
実施形態３の保護フィルム構造体を使用するためには、先ず、下部離型フィルム１５０を除去した後、他の部分をスマートデバイス（例えば、スマートフォン）の画面部分に貼り付ける。
【０１１１】
次に、保護フィルム構造体を上方から弱く押圧しながら、引張り部材つまみ部１７２ａを引っ張ると、補助フィルム１３０が除去されて、保護フィルム１１０の下側の面が画面部分に貼り付けられる。
【０１１２】
次に、上部離型フィルム１４０を除去すると、保護フィルム１１０が画面部分にきれいに貼り付けられた状態になる。
【０１１３】
すなわち、前記下部補助フィルム１３２が前記スマートデバイスの画面部分に貼り付けられた状態で引張り部材つまみ部１７２ａを引っ張ると、Ｍ字状のしわが深くなり、前記下部補助フィルム１３２が画面部分から剥離されるとともに、前記保護フィルム１１０が前記画面部分に貼り付けられる。
【０１１４】
実施形態３のように、保護フィルム構造体が、保護フィルム接着物質１１５と上部接着物質１２５をいずれも含む場合、上部接着物質１２５の接着力が保護フィルム接着物質１１５の接着力よりも強いことが好ましい。保護フィルム接着物質１１５と上部接着物質１２５との間にホコリが入り込んだ場合、ホコリが上部接着物質１２５に強く接着されて、上部補助フィルム１３１を除去する時にともに除去され得るためである。
【０１１５】
実施形態３によると、前記保護フィルム１１０が前記画面部分に貼り付けられる過程で外部のホコリが入り込まず、若干のホコリが入り込んでも、補助フィルム１３０に塗布された接着物質｛上部接着物質１２５、下部接着物質１３５｝に接着されて除去され得る。
【０１１６】
したがって、ホコリが入り込むことなく、正確な位置に容易に保護フィルム１１０を画面部分に貼り付けることができる。
【０１１７】
上部離型フィルム１４０と下部離型フィルム１５０は、実施形態３の保護フィルム構造体の両側に貼り付けられる離型フィルム（ｒｅｌｅａｓｅ  ｆｉｌｍ）である。
【０１１８】
上部補助フィルム１３１と下部補助フィルム１３２との間には、潤滑物質が塗布されていてもよい。上部補助フィルム１３１と下部補助フィルム１３２との間には、潤滑物質が塗布されていると、引張り部材つまみ部１７２ａを引っ張って補助フィルム１３０を除去する時に、摩擦が減少し、引張り部材つまみ部１７２ａを容易に引っ張ることができる。
【０１１９】
（実施形態４）
実施形態４は、実施形態３から保護フィルムが除去されているものであり、保護フィルム貼付補助構造体と称することができる。
【０１２０】
すなわち、市販の保護フィルムをスマートデバイス（例えば、スマートフォン）の画面部分に容易に貼り付けることを助けるものである。
【０１２１】
図１２は実施形態４による保護フィルム貼付補助構造体の垂直断面図であり、図１３は実施形態４による保護フィルム貼付補助構造体の平面図である。
【０１２２】
実施形態４の図１２は実施形態３の図９から保護フィルム１１０、上部離型フィルム接着物質１４５、保護フィルム接着物質１１５が省略された様子を示している。
【０１２３】
実施形態４の保護フィルム貼付補助構造体を使用する方法は、以下のとおりである。
【０１２４】
先ず、下部離型フィルム１５０を除去した後、他の部分をスマートデバイス（例えば、スマートフォン）の画面部分に貼り付ける。次に、上部離型フィルム１４０を除去した後、市販の保護フィルムを上部補助フィルムの上に貼り付ける。
【０１２５】
次に、引張り部材つまみ部１７２ａを引っ張ると、上部補助フィルム１３１が保護フィルムから剥離され、下部補助フィルム１３２が画面部分から剥離されるとともに、前記保護フィルムが前記画面部分に貼り付けられる。
【０１２６】
市販の保護フィルムも離型フィルムが貼り付けられているが、その保護フィルムの上部に貼り付けられている離型フィルムは、前記保護フィルムがスマートデバイスの画面部分に貼り付けられた後、除去することが好ましい。
【０１２７】
市販の保護フィルムを上部補助フィルムの上に貼り付ける時に、その間｛保護フィルムと上部補助フィルム１３１との間｝にホコリが入り込み得る。このホコリを除去するために、上部接着物質１２５の接着力は、前記保護フィルムに塗布された接着物質の接着力よりも強いことが好ましい。上部接着物質１２５の接着力が前記保護フィルムに塗布された接着物質の接着力よりも強いと、前記ホコリが上部接着物質１２５に接着されて、補助フィルム１３０を除去する時にともに除去され得るためである。
【０１２８】
実施形態４によると、保護フィルムが前記画面部分９１に貼り付けられる過程で外部のホコリが入り込まず、若干のホコリが入り込んでも、補助フィルム１３０に塗布された接着物質｛上部接着物質１２５、下部接着物質１３５｝に接着されて除去され得る。
【０１２９】
したがって、ホコリが入り込むことなく、正確な位置に容易に保護フィルムをスマートデバイスの画面部分に貼り付けることができる。
【０１３０】
（実施形態５）
図１４は実施形態５の引張り部材の平面図であり、図１５は実施形態５の上部補助フィルム、引張り部材、下部補助フィルムの結合体の断面図であり、図１６は実施形態５の上部補助フィルム、引張り部材、下部補助フィルムの結合体の平面図である。
【０１３１】
引張り部材２７０の一端には、上部補助フィルムおよび下部補助フィルムと貼り付けるための引張り部材接着部２７１が形成されており、他端には、引張り部材つまみ部２７２ａが形成されている。
【０１３２】
図１５のように、前記上部補助フィルムの一端、前記引張り部材の一端（引張り部材接着部）、前記下部補助フィルムの一端は、順に重なってから接着されて連結されている。この際、図１５のように、前記上部補助フィルムの一端、前記引張り部材の一端（引張り部材接着部）、前記下部補助フィルムの一端は、接着剤Ｐによって接着されてもよく、または接着剤を使用することなく、前記上部補助フィルムの一端、前記引張り部材の一端（引張り部材接着部）、前記下部補助フィルムの一端に熱を加えてから圧力を加えることで接着されてもよい。
【０１３３】
図１５のような上部補助フィルム、引張り部材、下部補助フィルムの結合体を補助フィルムと称することができる。
【０１３４】
実施形態５の保護フィルム構造体は、スマートデバイスの画面部分に貼り付けられる保護フィルムと、保護フィルムの下部に接触する補助フィルムとを含む。
【０１３５】
図１７は実施形態５による保護フィルム構造体の垂直断面図である。
【０１３６】
図１７の保護フィルム構造体は、保護フィルム２１０と、保護フィルムの下部に接触する補助フィルムと、補助フィルムの下部に貼り付けられる第１の位置合わせフィルム２８０と第２の位置合わせフィルム２９０とを含む。
【０１３７】
前記第１の位置合わせフィルム２８０は、下部補助フィルム２３２の端部に所定の面積で貼り付けられ、その貼付部分は、上部補助フィルムと下部補助フィルムが連結される部分に対応する部分に位置する。
【０１３８】
前記第２の位置合わせフィルム２９０は、上部位置合わせフィルム２９１と下部位置合わせフィルム２９２からなり、上部位置合わせフィルム２９１と下部位置合わせフィルム２９２は連結されており、連結された部分が前記第１の位置合わせフィルムに接する位置になるように、上部位置合わせフィルム２９１が前記下部補助フィルム２３２に貼り付けられ、前記下部位置合わせフィルム２９２には、下部位置合わせフィルムつまみ部２９２ａが形成され、
【０１３９】
前記下部補助フィルムの第１の位置合わせフィルム２８０と接着する面を第１の接着面、前記下部補助フィルムの第２の位置合わせフィルム２９０と接着する面を第２の接着面とした時に、
【０１４０】
前記下部補助フィルムの第１の接着面が前記スマートデバイスの画面部分に貼り付けられた状態で、前記下部位置合わせフィルムつまみ部２９２ａを引っ張ると、前記上部位置合わせフィルム２９１が前記下部補助フィルム２３２から剥離される。
【０１４１】
前記下部補助フィルム２３２の下部には、下部接着物質２３５が塗布されている。
【０１４２】
前記上部補助フィルム２３１の上面には、上部接着物質２２５が塗布されており、前記保護フィルム２１０には、保護フィルム接着物質２１５が塗布されている。
【０１４３】
図１７のように、保護フィルム構造体が、保護フィルム接着物質２１５と上部接着物質２２５をいずれも含む場合、上部接着物質２２５の接着力が保護フィルム接着物質２１５の接着力よりも強いことが好ましい。保護フィルム接着物質２１５と上部接着物質２２５との間にホコリが入り込んだ場合、ホコリが上部接着物質２２５に強く接着されて、上部補助フィルム２３１を除去する時にともに除去され得るためである。
【０１４４】
上部補助フィルム２３１の角と下部補助フィルム２３２の角は接合されていることが好ましい。上部補助フィルム２３１の角と下部補助フィルム２３２の角が接合されていると、上部補助フィルム２３１と下部補助フィルム２３２の相対的な位置が固定される利点がある。
【０１４５】
上部補助フィルム２３１の角と下部補助フィルム２３２の角は、接着剤を使用して接合されてもよく、上部補助フィルム２３１の角と下部補助フィルム２３２の角に熱を加えて上部補助フィルム２３１の角と下部補助フィルム２３２の角を溶融することで接合されてもよい。その他の様々な方法により、上部補助フィルム２３１の角と下部補助フィルム２３２の角を接着してもよい。
【０１４６】
上部補助フィルム２３１の角と下部補助フィルム２３２の角は、接合するとしても、引張り部材つまみ部２７２ａを引っ張ることを妨げないように、上部補助フィルム２３１と下部補助フィルム２３２それぞれの４個の角のうち引張り部材つまみ部２７２ａを引っ張る方向と平行に形成された上部補助フィルム２３１と下部補助フィルム２３２それぞれの２個の角のみを接合することが好ましい。
【０１４７】
また、前記接合が弱くされており、引張り部材つまみ部２７２ａを引っ張り続けると、前記接合｛上部補助フィルム２３１の角と下部補助フィルム２３２の角の間の接合｝が解除される。
【０１４８】
また、引張り部材つまみ部を引っ張る方向と平行に形成された２個の角全体を接合するのではなく、角のうち巻き込まれて始める部分（引張り部材つまみ部を引っ張る時に巻き込まれ始める部分、図２において左右２個の角のうち上の部分）は接合されていないことが好ましい。これは、引張り部材つまみ部を引っ張っることで角の部分が巻き込まれ始める時に角の部分が巻き込まれることを妨げないようにするためである。すなわち、つまみ部を引っ張る方向と平行に形成された２個の角のうち引張り部材つまみ部の反対側に位置した部分は、所定の長さだけ接合をしないことが好ましい。
【０１４９】
前記下部補助フィルムの第１の位置合わせフィルムと接着する面を第１の接着面、前記下部補助フィルムの第２の位置合わせフィルムと接着する面を第２の接着面と称することができる。
【０１５０】
実施形態５の保護フィルム構造体を使用するためには、先ず、第１の位置合わせフィルム２８０を除去した後、前記第１の接着面をスマートデバイス（例えば、スマートフォン）の画面部分に貼り付ける。
【０１５１】
次に、下部位置合わせフィルムつまみ部２９２ａを引っ張ると、前記上部位置合わせフィルム２９１が前記下部補助フィルム２３２から剥離されて、前記第２の接着面がスマートデバイス（例えば、スマートフォン）の画面部分に貼り付けられる。
【０１５２】
次に、保護フィルム構造体を上方から弱く押圧しながら、引張り部材つまみ部２７２ａを引っ張ると、補助フィルムが除去されて、保護フィルム２１０の下側の面が画面部分に貼り付けられる。
【０１５３】
すなわち、前記下部補助フィルム２３２が前記スマートデバイスの画面部分に貼り付けられた状態で引張り部材つまみ部２７２ａを引っ張ると、前記上部補助フィルム２３１と前記下部補助フィルム２３２が接着連結される部分が、前記上部補助フィルム２３１と前記下部補助フィルム２３２との間に巻き込まれて、前記下部補助フィルム２３２が剥離されるとともに、前記保護フィルム２１０が前記画面部分に貼り付けられる。
【０１５４】
前記下部補助フィルム２３２が画面部分から剥離されるとともに、前記保護フィルム２１０が前記画面部分に貼り付けられるものである。
【０１５５】
実施形態５によると、前記保護フィルム２１０が前記画面部分に貼り付けられる過程で外部のホコリが入り込まず、若干のホコリが入り込んでも、補助フィルムに塗布された接着物質｛上部接着物質２２５、下部接着物質２３５｝に接着されて除去され得る。
【０１５６】
したがって、ホコリが入り込むことなく、正確な位置に容易に保護フィルム２１０を画面部分に貼り付けることができる。
【０１５７】
実施形態５の保護フィルム構造体は、保護フィルム２１０の上部に貼り付けられる離型フィルム（ｒｅｌｅａｓｅ  ｆｉｌｍ）をさらに含んでもよい。
【０１５８】
（実施形態６）
実施形態６は、実施形態５から保護フィルムが除去されているものであり、保護フィルム貼付補助構造体と称することができる。
【０１５９】
すなわち、市販の保護フィルムをスマートデバイス（例えば、スマートフォン）の画面部分に容易に貼り付けることを助けるものである。
【０１６０】
図１８は実施形態６による保護フィルム貼付補助構造体の垂直断面図である。
【０１６１】
実施形態６の図１８では、実施形態５の図１７から保護フィルム２１０、保護フィルム接着物質２１５が省略され、上部離型フィルム２４０が追加されている。
【０１６２】
上部離型フィルム２４０の一部分は、上部補助フィルム２３１の一部分に、熱と圧力を加えて接着されていてもよい。
【０１６３】
上部補助フィルム２３１の角と下部補助フィルム２３２の角は接合されていることが好ましい。上部補助フィルム２３１の角と下部補助フィルム２３２の角が接合されていると、上部補助フィルム２３１と下部補助フィルム２３２の相対的な位置が固定される利点がある。
【０１６４】
上部補助フィルム２３１の角と下部補助フィルム２３２の角は、接着剤を使用して接合されてもよく、上部補助フィルム２３１の角と下部補助フィルム２３２の角に熱を加えて上部補助フィルム２３１の角と下部補助フィルム２３２の角を溶融することで接合されてもよい。その他の様々な方法により、上部補助フィルム２３１の角と下部補助フィルム２３２の角を接着してもよい。
【０１６５】
上部補助フィルム２３１の角と下部補助フィルム２３２の角は、接合するとしても、引張り部材つまみ部２７２ａを引っ張ることを妨げないように、上部補助フィルム２３１と下部補助フィルム２３２それぞれの４個の角のうち引張り部材つまみ部２７２ａを引っ張る方向と平行に形成された上部補助フィルム２３１と下部補助フィルム２３２それぞれの２個の角のみを接合することが好ましい。
【０１６６】
また、前記接合が弱くされており、引張り部材つまみ部２７２ａを引っ張り続けると、前記接合｛上部補助フィルム２３１の角と下部補助フィルム２３２の角の間の接合｝が解除される。
【０１６７】
前記下部補助フィルム２３２の第１の位置合わせフィルム２８０と接着する面を第１の接着面、前記下部補助フィルムの第２の位置合わせフィルム２９０と接着する面を第２の接着面と称することができる。
【０１６８】
実施形態６の保護フィルム貼付補助構造体を使用する方法は、以下のとおりである。
【０１６９】
先ず、上部離型フィルム２４０を上部補助フィルム２３１から分離し、上部補助フィルム２３１の上側の部分に保護フィルムを貼り付ける。
【０１７０】
次に、第１の位置合わせフィルム２８０を除去した後、前記第１の接着面をスマートデバイス（例えば、スマートフォン）の画面部分に貼り付ける。
【０１７１】
次に、下部位置合わせフィルムつまみ部２９２ａを引っ張ると、前記上部位置合わせフィルム２９１が前記下部補助フィルム２３２から剥離されて、前記第２の接着面がスマートデバイス（例えば、スマートフォン）の画面部分に貼り付けられる。
【０１７２】
次に、保護フィルム貼付補助構造体を上方から弱く押圧しながら、引張り部材つまみ部２７２ａを引っ張ると、補助フィルムが除去されて、保護フィルムの下側の面が画面部分に貼り付けられる。
【０１７３】
すなわち、前記下部補助フィルム２３２が前記スマートデバイスの画面部分に貼り付けられた状態で引張り部材つまみ部２７２ａを引っ張ると、前記上部補助フィルム２３１と前記下部補助フィルム２３２が接着連結される部分が前記上部補助フィルム２３１と前記下部補助フィルム２３２との間に巻き込まれて、前記下部補助フィルム２３２が剥離されるとともに、前記保護フィルム２１０が前記画面部分に貼り付けられる。
【０１７４】
実施形態６によると、前記保護フィルム２１０が前記画面部分に貼り付けられる過程で外部のホコリが入り込まず、若干のホコリが入り込んでも、補助フィルムに塗布された接着物質｛上部接着物質２２５、下部接着物質２３５｝に接着されて除去され得る。
【０１７５】
したがって、ホコリが入り込むことなく、正確な位置に容易に保護フィルム２１０を画面部分に貼り付けることができる。
【０１７６】
前記上部接着物質２２５の接着力は、前記保護フィルムに塗布された接着物質の接着力よりも強いことが好ましい。
【０１７７】
上部離型フィルム２４０を上部補助フィルム２３１から分離する時に、つまみ部が存在しないと、上部離型フィルム２４０を上部補助フィルム２３１から分離することが難しくなり得る。
【０１７８】
図１９は実施形態６による保護フィルム貼付補助構造体に離型フィルムつまみ部が形成された様子を示す断面図である。
【０１７９】
図１９のように、保護フィルム貼付補助構造体の上部離型フィルム２４０に離型フィルムつまみ部２４０ａが形成されていると、離型フィルムつまみ部２４０ａを把持してから引っ張ることで、上部離型フィルム２４０を上部補助フィルム２３１から容易に分離することができる。
【０１８０】
実施形態５と実施形態６において、第１の位置合わせフィルム２８０を除去する時に、容易に除去するために、第１の位置合わせフィルム２８０につまみ部を形成してもよい。
【０１８１】
図２０は第１の位置合わせフィルムつまみ部が形成された様子を示す断面図である。
【０１８２】
図２０のように、第１の位置合わせフィルム２８０に第１の位置合わせフィルムつまみ部２８０ａを形成すると、第１の位置合わせフィルムつまみ部２８０ａを引っ張る方法で第１の位置合わせフィルム２８０を容易に除去することができる。
【０１８３】
図２０では、第１の位置合わせフィルムつまみ部２８０ａが第２の位置合わせフィルム２９０に向かう方向に形成されているが、その反対方向やその他の方向に向かうように形成されてもよい。
【０１８４】
実施形態２〜実施形態６でも、実施形態１のように、（引張り部材）つまみ部を引っ張る方向と平行に形成された２個の角（引張り部材）を接合する時に、つまみ部を引っ張る方向と平行に形成された２個の角のうちつまみ部の反対側に位置する部分は、所定の長さだけ接合をしないことが好ましい。
【０１８５】
図１、図７、図９、図１２、図１７〜図１９などにおいて、保護フィルム構造体と保護フィルム貼付補助構造体は、非常に厚い厚さで図示されているが、これは、理解を容易にするために誇張して図示したものであって、実際には非常に薄く製造される。
【符号の説明】
【０１８６】
１０  保護フィルム
１５  保護フィルム接着物質
２０  第１の補助フィルム
２１  第１‐１の補助フィルム
２２  第１‐２の補助フィルム
２２ａ  第１‐２の補助フィルムつまみ部
２５  第３の接着物質
２７  第１の潤滑物質
３０  第２の補助フィルム
３１  第２‐１の補助フィルム
３１ａ  第２‐１の補助フィルムつまみ部
３２  第２‐２の補助フィルム
３５  第２の接着物質
３７  第２の潤滑物質
４０  第１の離型フィルム
４５  第４の接着物質
５０  第２の離型フィルム
６０  第１の接着物質
９０  スマートデバイス
９１  画面部分
１１０  保護フィルム
１１５  保護フィルム接着物質
１２５  上部接着物質
１３０  補助フィルム
１３０ａ  補助フィルムホール
１３１  上部補助フィルム
１３２  下部補助フィルム
１３５  下部接着物質
１４０  上部離型フィルム
１４５  上部離型フィルム接着物質
１５０  下部離型フィルム
１７０  引張り部材
１７１  引張り棒
１７２  引張り連結部
１７２ａ  引張り部材つまみ部
２１０  保護フィルム
２１５  保護フィルム接着物質
２２５  上部接着物質
２３５  下部接着物質
２３１  上部補助フィルム
２３２  下部補助フィルム
２４０  上部離型フィルム
２７０  引張り部材
２７１  引張り部材接着部
２７２ａ  引張り部材つまみ部
２８０  第１の位置合わせフィルム
２８０ａ  第１の位置合わせフィルムつまみ部
２９０  第２の位置合わせフィルム
２９１  上部位置合わせフィルム
２９２  下部位置合わせフィルム
２９２ａ  下部位置合わせフィルムつまみ部
【図１】
2018532852.tif 000003
【図２】
2018532852.tif 000004
【図３】
2018532852.tif 000005
【図４】
2018532852.tif 000006
【図５】
2018532852.tif 000007
【図６】
2018532852.tif 000008
【図７】
2018532852.tif 000009
【図８】
2018532852.tif 000010
【図９】
2018532852.tif 000011
【図１０】
2018532852.tif 000012
【図１１】
2018532852.tif 000013
【図１２】
2018532852.tif 000014
【図１３】
2018532852.tif 000015
【図１４】
2018532852.tif 000016
【図１５】
2018532852.tif 000017
【図１６】
2018532852.tif 000018
【図１７】
2018532852.tif 000019
【図１８】
2018532852.tif 000020
【図１９】
2018532852.tif 000021
【図２０】
2018532852.tif 000022
【国際調査報告】
2018532852.tif 000023
2018532852.tif 000024
2018532852.tif 000025
2018532852.tif 000026